(57)【要約】【課題】抜止部材を設けた場合であっても、取付部分の構造が壁面から張り出すことを抑制する。【解決手段】カウンター１は、壁面２に固定される固定部材７０と、前記固定部材７０に対して所定方向から引っ掛けることで前記壁面２に取り付けられるカウンター本体１０と、前記固定部材７０に引っ掛けられた前記カウンター本体１０の前記所定方向への抜けを防止する抜止部材８０と、を備える。そして、前記抜止部材８０は前記壁面２に対して平行な方向へ移動することによって、前記カウンター本体１０の前記所定方向への抜けを防止する抜止位置と、前記カウンター本体１０の前記所定方向への抜けを許容する許容位置とに移動自在とする。【選択図】図１０
2019041836.tif 000002
【特許請求の範囲】
【請求項１】
壁面に固定される固定部材と、
前記固定部材に対して所定方向から引っ掛けることで前記壁面に取り付けられるカウンター本体と、
前記固定部材に引っ掛けられた前記カウンター本体の前記所定方向への抜けを防止する抜止部材と、
を備え、
前記抜止部材は前記壁面に対して平行な方向へ移動することによって、前記カウンター本体の前記所定方向への抜けを防止する抜止位置と、前記カウンター本体の前記所定方向への抜けを許容する許容位置とに移動自在であることを特徴とするカウンター。
【請求項２】
前記カウンター本体は前記固定部材に対して上方から引っ掛けることで前記壁面に取り付けられるものであることを特徴とする請求項１に記載のカウンター。
【請求項３】
前記抜止部材は前記抜止位置から前記許容位置に移動した場合に、前記カウンター本体の外側に露出することによって抜けが許容された状態であることを示す表示部を有していることを特徴とする請求項１又は２に記載のカウンター。
【発明の詳細な説明】
【技術分野】
【０００１】
本発明は壁面に取り付けられるカウンターに関するものである。
【背景技術】
【０００２】
特許文献１は壁面に取り付けられる従来のカウンターを開示している。このカウンターはカウンター本体と固定部材とを備えている。カウンター本体は背面に引っ掛け部が形成されている。カウンター本体は壁面に固定された固定部材に対して上方から引っ掛けることで壁面に取り付けられる。また、カウンター本体は固定部材に引っ掛けられたカウンター本体が上方から抜けるのを防止する抜止部材９００（図１１参照）を備えている。
【０００３】
この抜止部材９００は、前後方向の断面形状が略Ｌ字状となっている。抜止部材９００は、軸部９０１と、板部９０２と、係止部９０３と、抜止部９０４とを有している。Ｌ字部分は、上端に軸部９０１が形成されており、軸部９０１から板部９０２が延設され、板部９０２から直交して係止部９０３及び抜止部９０４が延設されている。軸部９０１はカウンター本体に対して左右方向を回転軸として回転自在に軸支されている。この抜止部材９００は固定部材の手前で軸支されており、右方から見て反時計周りに回転すると係止部９０３がカウンター本体の下面から垂下した垂下部に係止される。抜止部材９００は係止部９０３が係止された状態では、抜止部９０４が固定部材の真下に位置する。このため、カウンター本体は上方へ移動しようとしても抜止部９０４が固定部材に当接して上方への抜けが防止される。
【先行技術文献】
【特許文献】
【０００４】
【特許文献１】特開２０１２−０４５０２５号公報
【発明の概要】
【発明が解決しようとする課題】
【０００５】
カウンターは載置面の大きさを確保しつつ他の部分を小型化することが求められている。しかし、上述した従来のカウンターは、固定部材の手前に係止部を係止させる垂下部が設けられ、この垂下部の手前で抜止部材が軸支されるため、取付部分の構造が壁面から手前に張り出してしまう。
【０００６】
本発明は、上記従来の実情に鑑みてなされたものであって、抜止部材を設けた場合であっても、取付部分の構造が壁面から張り出すことを抑制することができるカウンターを提供することを解決すべき課題としている。
【課題を解決するための手段】
【０００７】
本発明のカウンターは、
壁面に固定される固定部材と、
前記固定部材に対して所定方向から引っ掛けることで前記壁面に取り付けられるカウンター本体と、
前記固定部材に引っ掛けられた前記カウンター本体の前記所定方向への抜けを防止する抜止部材と、
を備え、
前記抜止部材は前記壁面に対して平行な方向へ移動することによって、前記カウンター本体の前記所定方向への抜けを防止する抜止位置と、前記カウンター本体の前記所定方向への抜けを許容する許容位置とに移動自在である
ことを特徴とする。
【０００８】
このカウンターのカウンター本体は、壁面に固定された固定部材に対して所定方向から引っ掛けることで壁面に取り付けられる。固定部材に引っ掛けられたカウンター本体は、抜止部材によって上記所定方向への抜けが防止される。また、  抜止部材は壁面に対して平行な方向へ移動することによって抜けを防止する抜止位置と、抜けを許容する許容位置とに移動自在となっている。このため、このカウンターは、抜止部材の壁面に垂直な方向の寸法を小さくすれば、抜止部材が固定部材よりも手前に張り出すことを抑制することができる。従って、このカウンターは抜止部材を設けた場合であっても、取付部分の構造が壁面から張り出すことを抑制することができる。
【図面の簡単な説明】
【０００９】
【図１】壁面に取り付けられた状態のカウンターを示した説明図である。
【図２】カウンターを後方から見た分解斜視図である。
【図３】カウンター本体を後方から見た分解斜視図である。
【図４】抜止部材の背面図である。
【図５】カウンターの右部分の平面図である。
【図６】図５の矢視Ａ−Ａ断面図である。
【図７】カウンターの右側面図である。
【図８】図７の矢視Ｂ−Ｂ断面図である。
【図９】カウンター本体の抜けが許容された状態を示した説明図である。
【図１０】カウンター本体の抜けが防止された状態を示した説明図である。
【図１１】従来のカウンターを示した説明図である。
【発明を実施するための形態】
【００１０】
本発明における好ましい実施の形態を説明する。
【００１１】
本発明のカウンターの前記カウンター本体は、前記固定部材に対して上方から引っ掛けることで前記壁面に取り付けられることが好ましい。この場合、このカウンターはカウンター本体の荷重がカウンター本体の抜ける方向と逆方向にかかるので、カウンター本体の引っ掛けられた状態が安定する。
【００１２】
本発明のカウンターの前記抜止部材は前記抜止位置から前記許容位置に移動した場合に、前記カウンター本体の外側に露出することによって抜けが許容された状態であることを示す表示部を有し得る。この場合、このカウンターはカウンター本体の抜けが許容された状態であれば表示部が露出する。このため、ユーザーは表示部が露出しているか否かを確認するだけで、カウンター本体の抜けが許容された状態であるか否かを把握することができる。
【００１３】
次に、本発明のカウンターを具体化した実施例１について、図面を参照しつつ説明する。
【００１４】
＜実施例１＞
実施例１のカウンター１は、図１に示すように、浴室などの壁面２に取り付けられるものである。このカウンター１は、石鹸やシャンプー、リンス等の小物が置かれる。なお、以下では、カウンター１に対して、このカウンター１が取り付けられる壁面２側の方向を後方、その反対方向を前方、カウンター１を前方から見て左側の方向を左方、右側の方向を右方として説明する。
【００１５】
カウンター１は、図２に示すように、カウンター本体１０と、２つの固定部材７０と、２つの抜止部材８０とを有している。カウンター本体１０は上面が平面状の載置面１１となっている。カウンター本体１０は平面視で左右方向に長い略長方形状であり、前側の両隅が上下方向にＲ面取りされている。カウンター本体１０は背面が壁面２に取り付けられる。
【００１６】
カウンター本体１０は、図３に示すように、本体部２０と第１隠蔽部４０と第２隠蔽部６０とを有している。本体部２０は透明な樹脂製であり、カウンター本体１０の略全体を形成している。本体部２０は、天板部２１、左右垂下部２２、前垂下部２３、第１後垂下部２４、第２後垂下部２５、及び内垂下部２６を有している。天板部２１は平面視で左右方向に長い略長方形状の平板である。左右垂下部２２は天板部２１の左右両端から垂下する平板であり、下端が後方に向けて緩やかに傾斜している。前垂下部２３は、天板部２１の前端から垂下する平板であり、左右両端が左右垂下部２２に連続している。第１後垂下部２４は天板部２１の後端の左右両端部からそれぞれ垂下する平板であり、左右方向外側の端縁が左右垂下部２２の後端に直交している。第２後垂下部２５は、第１後垂下部２４よりも前方で天板部２１から垂下して左右方向に延びる平板であり、左右両端が左右垂下部２２に直交している。内垂下部２６は、各第１後垂下部２４の左右方向内側の端縁から前方に直交して延びる平板であり、第２後垂下部２５に直交している。
【００１７】
天板部２１、左右垂下部２２、第１後垂下部２４、第２後垂下部２５、及び内垂下部２６は、本体部２０の後端部（第２後垂下部２５から後ろ側）の左右両側に収納部３０を１つずつ形成している。すなわち、天板部２１は後端部が収納部３０の上面部２１Ａを構成している。左右垂下部２２は後端部が収納部３０の外側面部２２Ａを構成している。第１後垂下部２４は収納部３０の背面部２４Ａを構成している。第２後垂下部２５は収納部３０の前面部２５Ａを構成している。内垂下部２６は収納部３０の内側面部２６Ａを構成している。収納部３０は、下方に開口しており、内側に固定部材７０及び抜止部材８０を収納する収納空間ＳＰを形成している。
【００１８】
第１隠蔽部４０は不透明な樹脂製である。第１隠蔽部４０は上板部４１と側板部４２とを有している。上板部４１は左右方向の長さが本体部２０の左右方向の長さと略同一であり、前後方向の幅が本体部２０の幅よりも短い平板である。側板部４２は上板部４１の左右両端から垂下する平板である。側板部４２は高さが本体部２０の後端部における高さと略同一である。本体部２０は第２後垂下部２５のわずか前方から後ろ側において、天板部２１及び左右垂下部２２が内側に凹んでいる。第１隠蔽部４０はこの本体部２０の凹んだ部分に嵌め込まれる。本体部２０に嵌め込まれた第１隠蔽部４０は、収納部３０の真上に配設され、平面視で収納部３０を隠蔽する。また、載置面１１は第１隠蔽部４０の上面と第１隠蔽部４０よりも前側の本体部２０の上面とで構成される。
【００１９】
第２隠蔽部６０は不透明な樹脂製である。第２隠蔽部６０は起立板部６１と中央底板部６２と外側底板部６３とを有している。起立板部６１は本体部２０の第２後垂下部２５と左右方向の長さ及び高さが略同一の平板である。中央底板部６２は起立板部６１の左右方向中央部の下端から後方に直交して延びている。中央底板部６２は、本体部２０に組付けられた状態で後端が本体部２０の後端まで延びており、左右両端が収納部３０における内側面部２６Ａの内側面まで延びている。外側底板部６３は起立板部６１の左右方向両端部の下端から後方に直交して延びる平板である。外側底板部６３は中央底板部６２に連続している。外側底板部６３は収納部３０と左右方向の長さが略同一であり、本体部２０に組付けられた状態で後端が収納部３０における前面部２５Ａの内側面まで延びている。第２隠蔽部６０は起立板部６１が中央底板部６２の前側に接着して本体部２０に組付けられる。本体部２０に組付けられた第２隠蔽部６０は収納空間ＳＰの正面に配設され、収納空間ＳＰを正面視で隠蔽する。
【００２０】
収納部３０の背面部２４Ａは、左右方向内側に引っ掛け部３１が形成されており、左右方向外側にガイド孔３２が形成されている。引っ掛け部３１は下方に開くようにして切り欠かれている。引っ掛け部３１は上端部、中間部及び下端部から形成されている。上端部は上方に膨らんだ半円形状に切り欠かれている。この半円形状は直径が後述する固定部材７０の頭部７１の外径よりも小さく首部７２の外径よりも僅かに大きい。中間部は上端部の両端から下方に平行に延びて切り欠かれている。下端部は左右方向外側の端部が下方に延びて切り欠かれており、左右方向内側の端部が内側に向けて水平に切り欠かれている。この引っ掛け部３１は壁面２に固定された固定部材７０に対して引っ掛けられる。
【００２１】
固定部材７０は壁面２に固定される部材であり、不透明な樹脂製である。固定部材７０は図２に示すように、頭部７１と首部７２とを有している。頭部７１は前後方向を軸とした略筒状である。首部７２は頭部７１の背面から同軸上に延びる筒状である。首部７２は外径が頭部７１の外径よりも小さい。固定部材７０は頭部７１および首部７２によって、ねじ７３の軸部が挿通される貫通口が形成されている。貫通口の入り口は、固定部材７０の前面から後方にへこんだ凹部の底面に形成されている。固定部材７０を壁面２にねじ７３によって固定する際、ねじ７３の軸部を貫通孔の前方から挿通し、ねじ７３のねじ頭が固定部材７０の凹部の底面に当接するまで壁面２にねじ込む。固定部材７０は壁面２に固定されると、頭部７１と首部７２とが壁面２から前方に突出した状態となる。カウンター本体１０はこのようにして壁面２に固定された固定部材７０の首部７２に対して上方から引っ掛け部３１を引っ掛けることで壁面２に取り付けられる。
【００２２】
抜止部材８０は固定部材７０に引っ掛けられたカウンター本体１０が上方から抜けるのを防止する部材である。抜止部材８０は不透明な樹脂製である。抜止部材８０は図２及び図４〜８に示すように、ベース部８１と、係止部８２と、起立壁８４と、突起部８５と、操作部８６とを有している。ベース部８１は、平面視で長方形状の平板であり、短手方向である前後方向の幅が収納空間ＳＰの幅よりも小さい。ベース部８１は後方に向けて下方に傾いている。係止部８２はベース部８１の左右方向中央の後方端部から上方に起立して左右方向に延びる平板である。係止部８２は、先端部において後方側に突出し、左右方向に延びる半円柱状の凸部８３が形成されている。起立壁８４はベース部８１における係止部８２の左右両側から起立して係止部８２の左右上方を囲むようにして形成された平板である。係止部８２と起立壁８４との間には隙間ＳＬ１が形成されている。突起部８５は起立壁８４の左右両端からそれぞれ前方に向けて突出して上下方向に延びる平板である。各突起部８５とベース部８１との間には隙間ＳＬ２が形成されている（図６参照）。
【００２３】
抜止部材８０はベース部８１よりも上の部分が収納空間ＳＰに収納される。抜止部材８０は、図６に示すように、収納空間ＳＰに収納される収納対象部分における前後方向の最長部分の幅が、係止部８２の凸部８３の先端から突起部８５の先端までの幅ＸＢ１となっている。また、抜止部材８０は収納対象部分における係止部８２の凸部８３を除いた前後方向の幅が、起立壁８４の後端から突起部８５の先端までの幅ＸＢ２となっている。幅ＸＢ１は収納空間ＳＰにおける前後方向の幅ＸＡ１よりも大きいが、幅ＸＢ２は幅ＸＡ１よりも小さい。このため、抜止部材８０は収納空間ＳＰに下方から収納させる際、係止部８２の凸部８３が収納部３０の背面部２４Ａに当接するまでスムーズに入れ込むことができる。
【００２４】
抜止部材８０は、係止部８２の凸部８３が収納部３０の背面部２４Ａに当接した後、さらに上方へ押し込まれることで係止部８２が背面部２４Ａに押されて前方に撓む。抜止部材８０は、係止部８２が前方に撓むと、収納対象部分における前後方向の最長部分の幅が幅ＸＡ１よりも小さくなるので、さらに上方へ入れ込むことができる。抜止部材８０は、係止部８２が背面部２４Ａに押されたまま上方へ移動すると、係止部８２の凸部８３がガイド孔３２に嵌まり込む。
【００２５】
ガイド孔３２は左右方向の幅が係止部８２における凸部８３の左右方向の幅よりも大きく形成されている。このため、抜止部材８０は、凸部８３がガイド孔３２に嵌まり込んだ状態において、ガイド孔３２に沿って左右方向へ移動自在となる。
【００２６】
操作部８６はユーザーが抜止部材８０を左右方向へ移動させる際に操作する部分である。操作部８６はベース部８１の下面の左右方向中央から垂下して前後方向に延びている。操作部８６は左右側面が前後方向両側から中央に向けてなだらかに凹んでいる。
【００２７】
ベース部８１は左右方向内側の端部が抜止部８７を構成している。抜止部材８０は抜止部８７によって固定部材７０に引っ掛けられたカウンター本体１０が上方に抜けることを許容する許容位置と、カウンター本体１０が上方に抜けることを防止する抜止位置との間で移動する。抜止部材８０は、図９に示すように左右方向の最も外側に移動した状態では許容位置に位置し、図１０に示すように左右方向の最も内側に移動した状態では抜止位置に位置する。
【００２８】
抜止部８７は抜止部材８０が許容位置にある状態では、カウンター本体１０が引っ掛けられた固定部材７０の真下から左右方向外側に外れた位置にある。このため、カウンター本体１０は抜止部材８０が許容位置にある状態では、固定部材７０に対して上方から引っ掛けること、及び固定部材７０から取り外すことができる。他方、抜止部８７は抜止部材８０が抜止位置にある状態では、カウンター本体１０が引っ掛けられた固定部材７０の真下に位置する。このため、カウンター本体１０は抜止部材８０が抜止位置にある状態では、上方へ移動しようとすると抜止部８７が固定部材７０に当接して上方への抜けが防止される。
【００２９】
収納部３０の前面部２５Ａは、図５〜図１０に示すように、収納空間ＳＰ側に突出して上下方向に延びる半円柱状の柱部８９が形成されている。収納空間ＳＰにおける柱部８９がある部分の前後方向の幅ＸＡ２は、図８に示すように、抜止部材８０における突起部８５の幅ＸＢ２よりも小さい。また、柱部８９は抜止位置にある抜止部材８０の左右方向内側の突起部８５よりも僅かに左右方向外側に設けられている。このため、抜止部材８０は許容位置から抜止位置に移動させる際、突起部８５の先端が柱部８９に当接する。抜止部材８０は柱部８９に当接した後、さらに左右方向内側に向けて力が加わると、突起部８５が撓んで柱部８９を超える。
【００３０】
ベース部８１は左右方向外側の端部が表示部８８を構成している。表示部８８は図１０に示すように、抜止部材８０が左右方向の最も内側に位置する状態では、カウンター本体１０の左右方向内側に位置する。表示部８８は、図９に示すように、抜止部材８０が左右方向の最も外側に位置する状態では、カウンター本体１０の左右方向外側に露出する。
【００３１】
以上説明したように実施例１では、カウンター本体１０は壁面２に固定された固定部材７０に対して上方から引っ掛けることで、壁面２に取り付けられる。カウンター本体１０が壁面２に取り付けられた状態で抜止部材８０が抜止位置に移動すると、カウンター本体１０の抜けが防止される。また、この抜止部材８０は左右方向に移動することで抜止位置と許容位置とに移動する。このため、このカウンター１は、抜止部材８０の壁面２に垂直な方向の寸法を小さくすれば、抜止部材８０が固定部材７０よりも手前に張り出すことを抑制することができる。従って、このカウンター１は、抜止部材８０を設けた場合であっても、取付部分の構造が壁面２から張り出すことを抑制することができる。
【００３２】
また、このカウンター１はカウンター本体１０を固定部材７０に対して上方から引っ掛けることで壁面２に取り付けられる。このため、このカウンター１はカウンター本体１０の荷重が、カウンター本体１０が抜ける方向と逆方向にかかるので、カウンター本体１０の壁面２への取付状態が安定する。
【００３３】
また、このカウンター１は、抜止部材８０が許容位置にある状態では、表示部８８がカウンター本体１０の左右方向外側に露出する。このため、ユーザーはカウンター本体１０の左右側方に表示部８８が露出しているか否かを確認することで、カウンター本体１０の抜けが許容された状態であるか否かを把握することができる。
【００３４】
また、このカウンター１は取付部分の構造が壁面２から張り出すことを抑制することで収納部３０の壁面２からの張り出しも抑制される。このため、このカウンター１は、収納部３０を平面視及び正面視で隠蔽する第１隠蔽部４０及び第２隠蔽部６０の前端を壁面２寄りに形成することができる。こうすれば、カウンター１は不透明部分の領域の割合が小さくなって意匠性が向上する。
【００３５】
＜他の実施例＞
本発明は上記記述及び図面によって説明した実施例１に限定されるものではなく、例えば次のような実施例も本発明の技術的範囲に含まれる。
（１）実施例１ではカウンター本体を固定部材に対して上方から引っ掛ける構成としたが、上方以外の所定方向から引っ掛ける構成としてもよい。例えば、カウンター本体を固定部材に対して左右方向や前方などから引っ掛ける構成としてもよい。カウンター本体を固定部材に対して左右方向から引っ掛ける構成とする場合には、抜止部材を上下方向に移動自在とすることでカウンター本体が左右方向に抜けるのを防止することができる。また、カウンター本体を固定部材に対して前方から引っ掛ける構成とする場合には、抜止部材を上下方向や左右方向に移動自在とし固定部材の頭部の裏側に滑り込ませることでカウンター本体が前方に抜けるのを防止することができる。
（２）実施例１では固定部材及び抜止部材の数を２つとしたが、２つ以外の所定数としてもよい。
（３）実施例１では抜止部材がカウンター本体に設けられる構成としたが、固定部材に設けられる構成としてもよい。
【符号の説明】
【００３６】
１…カウンター
２…壁面
１０…カウンター本体
１１…載置面
７０…固定部材
８０…抜止部材
８７…抜止部
８８…表示部
【図１】
2019041836.tif 000003
【図２】
2019041836.tif 000004
【図３】
2019041836.tif 000005
【図４】
2019041836.tif 000006
【図５】
2019041836.tif 000007
【図６】
2019041836.tif 000008
【図７】
2019041836.tif 000009
【図８】
2019041836.tif 000010
【図９】
2019041836.tif 000011
【図１０】
2019041836.tif 000012
【図１１】
2019041836.tif 000013